(57)【要約】      （修正有）【課題】学校運動場、公園等の公共広場等に少量でもあるが動植物に影響のある放射性セシウムの付着した土を取り除いた放射性セシウム含む土を密封遮蔽し安全に確保して廃棄保管がしにくい。人体、動植物等に影響のある土を密封、遮蔽し処理後環境に安全を確保し、廃棄又は保管する方法を提供する。【解決手段】放射性セシウム含む土で放射性セシウム含む土ブロックを製造し石粉で製造した石粉所定固定容器内へ放射性セシウム含む土ブロックを入れ石粉生成材料で固定、蓋をして密封遮蔽をし、養生して、石粉所定固定容器と放射性セシウム含む土ブロックの一体化ブロックに製造し、安全性を確保し廃棄、保管等の処理を可能にする。又保管場所が、水分の多い場所では、一体化ブロック外部に水分遮断材料にて皮膜した一体化ブロックにする。【選択図】図４
2013137288.tif 000002
【特許請求の範囲】
【請求項１】
混練機械(２)に所定量の石粉(無機性)(６)にセメント(７)、水(８)を投入し混練後、所定量の水(４)に所定量の多機能固化薬剤(５)を加えた混合液(９)を再度加え混練生成材料(10)を作り加圧成型機械(３)で所定固定容器(11)を作る密閉遮蔽石粉容器。
【請求項２】
混練機械(12)に所定量の放射性セシウム含む土(16)にセメント(17) 、水(18)を投入し混練後、所定量の水(14)に所定量の多機能固化薬剤(15)を加えた混合液(21)を再度加え混練生成材料(22)を作り加圧成型機械(15)で所定形状の放射性セシウム含む土ブロック(23)を作る密閉遮蔽石粉容器。
【請求項３】
放射性セシウム含む土ブロック(23)を石粉所定固定容器(11)の中に入れた後、容器内で放射性セシウム含む土ブロック(18)を固定するため容器混練生成材料(10)で放射性セシウム含む土ブロックとの間に良く隙間なく詰めて放射性セシウム含む土ブロック(18)を固定し蓋をし、放射性セシウム含む土ブロック(23)と一体化ブロック(24)にし密封遮蔽安全確保して廃棄保管する。又廃棄保管場所が水分の多い場所では石粉所定固定容器(11)の外部に石粉所定固定容器(11)と廃棄、処理保管場所の水分を遮断する為水分等を通さない材料で皮膜する密閉遮蔽石粉容器。
【請求項４】
固定所定石粉容器を側面(29)底面、蓋(31)を各パーツに製造し組み立て方式で簡素化を図る請求項１〜３のいずれか１項記載の密閉遮蔽石粉容器。
【請求項５】
放射性セシウム含む土ブロックと石粉所定容器の一体化後石粉固定所定容器の外部にアングル(33)、平板(34)、金網(35)等で外部の強化を図る請求項１〜４のいずれか１項記載の密閉遮蔽石粉容器。
【発明の詳細な説明】
【技術分野】
【０００１】
公園等の低レベル量の放射性セシウムを含む土を収容して密封遮蔽し安全性を確保して廃棄保管等の処理を可能にする石粉所定固定容器である。又
側面(29)、底面、蓋(31)の各パーツを製造し側面(29)と底面(31)を組立て放射性セシウム含む土ブロックを投入し蓋(31)をし外部をアングル(33)、平板 (34)、金網(35)で一体化ブロックの外部を強化する方式である。
【背景技術】
【０００２】
放射性廃棄物の密閉処理容器技術は数々あるがたとえば特開平８−３６０９４号公報には有底の鉛製外容器と有底ガラス製内側容器とにより二層容器で容器本体部を形成し放射性廃棄物を収容し閉口上部をガラス製の内側蓋板をしその上にモルタルセメント等のシールド材で内側容器を密閉しその上に鉛製の外蓋板をしている。又石粉所定容器の組立方法及び外部よりの外圧で欠け、ひび割れ等の発生の対策強化方法である。
【先行技術文献】
【特許文献】
【０００３】
【特許文献１】特開平８−３６０９４
【発明の概要】
【発明が解決しようとする課題】
【０００４】
所定量の石粉(無機性)(６)、セメント(７)多機能固化薬剤(５)水(４)で混練生成(10)を作り、加圧成形機械(３)又は枠型方式で石粉所定固定容器(11)を作りこの中へ所定量の放射性セシウム含む土ブロック(23)を作り、石粉所定固定容器(11)内へ入れ石粉混練生成(10)で放射性セシウム含む土ブロック(23)を固定蓋をして密閉し石粉所定固定容器(11)と、放射性セシウム含む土ブロック(23)を一体化して安全なブロック(24)にする方法である。そして石粉所定固定容器を組立方式で側面(29)、底面蓋(31)の各パーツを製造し組立て行く組立方式であり放射性セシウム含む土ブロックと石粉所定固定容器の一体ブロックの外側を強化する事にある。
【０００５】
本発明は公園等の土の上の表面に付着した少量の放射セシウム含む土(18)を所定形状土ブロック (23)にして石粉(無機性)(６)で所定形状容器(11)を作り、この中へ投入後、固定、密閉遮蔽し放射性セシウムを密閉遮蔽を図ることに関する安全で安価で製造に優れたものである。又石粉所定固定容器を側面(29)底面、蓋(31)の各パーツを製造組立し放射性セシウム含む土ブロックと石粉所定固定容器の一体化ブロックの外側にアングル(33)で角部を囲いアングル(33)とアングル(33)の間に平板(34)、又は金網(35)等で囲い外側を強化する事にある。           
【０００６】
学校運動場、公園等の公共広場等に少量でもあるが動植物に影響のある放射性セシウムの付着した土を取り除いた放射性セシウム含む土(18)を密封遮蔽し安全に確保して廃棄保管がしにくい。請求項４に記載の石粉所定固定容器の組立方式として図４に示すように石粉生成材料内に含まれた空気を真空機械(27)にて空気を取除き、側面(29)、底面、蓋(31)の各パーツ体積量に切断して加圧成形機械(3,15)に投入し側面(29)、底面、蓋(31)を製造し側面(29)との接地面に石粉生成材料(10)を入れ、ネジ(32)にて固定し側面を組み立てて組立てられた側面(29)に底面(31)との接地面に石粉生成材料(10)を入れ、ネジ(32)にて固定して組立てる。図７に示す様に、側面(29)と側面(30)とをつなぎ合わせ放射性セシウム含む土ブロックを、多く入れる事も可能である。
【０００７】
本発明は土に付着した少量の放射性セシウム含む土(18)でも人体、動植物等に影響のある土を密封、遮蔽し処理後環境に安全を確保し、廃棄又は保管する事にある。組立てられた石粉所定固定容器内へ放射性セシウム含む土ブロックを投入し、蓋(31)と側面との接地面に石粉生成材料(10)を入れ蓋(31)をして、ネジ(32)にて固定し放射性セシウム含む土ブロックと石粉所定固定容器の一体化ブロックを製造する。
【課題を解決するための手段】
【０００８】
上記の目的を達成する為に石粉(無機性)所定固定容器(11)を製造し放射性セシウム含む土ブロック(23)を石粉所定固定容器(11)内で固定密封遮蔽し石粉所定固定容器(11)と放射性セシウム含む土ブロック(23)の一体化ブロック(24)を図り安全性を確保し廃棄保管等の処理をする。請求項５に記載の石粉所定固定容器側面強化として図８に示す様に、角の一片をアングル(33)で囲いアングル(33)とアングル(33)の間に平板(34)、又は図９に示す様に金網(35)でアングル(33)とアングル(33)の間を囲い外側強化を図る。
【０００９】
アングル(33)、平板(34)、金網(35)等の材質に注意する事、又、アングル(33)、平板(34)、金網(35)等の代わりにウレタン、アクリル等の科学製品を使用する事も可能である。
【発明の効果】
【００１０】
請求項１に記載の石粉(無機性)(６)はセメント(７)、多機能固化薬剤(５)、水(４)の混合物で多機能固化薬剤(５)は石粉の固化を助け六価クロム、セレン等の溶出が少ない、この性質により石粉所定固定容器(11)を製造する事により自然環境に良い、又放射性セシウム含む土ブロック(23)を製造する時にもセメント(７)、多機能固化薬剤(５)、水(４)を使用する。
【００１１】
請求項２に記載の少量放射性セシウム含む土は石粉所定固定容器(11)を製造する材料と同じセメント(７)、多機能固化薬剤(５)、水(４)材料を使用し、放射性セシウム含む土ブロック(23)製造する事で放射性セシウム含む土生成(22)を石粉所定容器(11)へ投入し石粉生成材料(10)で蓋をし、一体化ブロック(24)を製造した時放射性セシウム土生成(22)の水分が養成時に石粉所定固定容器(11)内へ水分と放射性セシウムが同時に浸透して行く事なり石粉所定固定容器(11)の性能低下につながる為石粉所定固定容器と放射性セシウム含む土ブロックを別々に製造してから、一体化ブロック(24)に製造する、又石粉所定固定容器に入れる放射性セシウム含む土ブロック(23)を小さくして石粉所定固定容器(11)１に対して放射性セシウム含む土ブロック(23)を２〜１０等に小さくし石粉所定固定容器(11)に入れる事も可能である、別々の製造方法にする事により作業性も良くなる。
【００１２】
請求項３に記載の石粉所定固定容器(11)内に放射性セシウム含む土ブロック(23)を投入し石粉生成材料(10)固定蓋をし、密封遮蔽し一体化ブロック(24)を製造する事で環境に良い、又六価クロム、セレン等の溶出は少ないブロック製造する事が可能になる。又一体化したブロック(24)の廃棄保管等の場所に水分が多い時は水分等を通さない材料で (25)で一体化ブロック(24)に皮膜し一体化ブロック(26)の強化を図る。
【００１３】
請求項４に記載の所定固定容器内は石粉生成材料(10)に含まれる空気が無く安定した均一の材料になり加圧成形機械(3,15)にて製造する側面(29)、底面、蓋 (31)などの各パーツを組立方式は、製造が簡単で運搬にも良い為に、放射性セシウム含む土の発生場所にて放射性セシウム含む土ブロックを製造し石粉所定固定容器を組立て放射性セシウム含む土ブロックとの一体化ブロックが容易に出来る。
【００１４】
請求項５に記載に示す石粉所定固定容器の外側強化(図８、図９)は放射性セシウム含む土ブロックと石粉所定固定容器の一体化ブロック後、外側にアングル(33)、平板(34)、金網(35)等で外側強化を図り、外圧による欠け、ひび割れ等を防ぐ働きを図る。     
【発明を実施するための形態】
【００１５】
石粉所定固定容器(11)及び放射性セシウム含む土ブロック(23)に製造に使用するセメント(7,19)、多機能固化薬剤(5,17)同じ物を使用する。特に多機能固化薬剤(5,17)は石粉(無機性)(６)、土(無機性)とセメントの固化を助けると共に固化後石粉(無機性)(６)、土(無機性)よりの六価クロム、セレン等化合物の溶出が少ない為、一体化ブロック(24)にした時、石粉所定固定容器(11)よりの廃棄保管等の場所に対して環境に良く安全性である。又図４に示す様に、石粉生成材料(10)より真空機械(27)にて空気を取除き、側面(29)、底面、蓋(31)の各パーツ体積量に切断して加圧成形機械(3,15)に投入し側面(29)、底面、蓋(31)を製造し側面(29)との接地面に石粉生成材料(10)を入れ、ネジ(32)にて固定し側面を組み立てて組立てられた側面(29)に底面(31)との接地面に石粉生成材料(10)を入れ、ネジ(32)にて固定して組立てる、放射性セシウム含む土ブロックを投入し組立てられた側面(29)に蓋(31)との接地面に石粉生成材料(10)を入れ、ネジ(32)にて固定して組立て蓋をし一体化ブロックを製造し外側にアングル(33)、平板(34)、又は金網(35)で外側強化する事にある。
【実施例】
【００１６】
図に基づいて説明する。表１は本発明を実施した時の石粉所定固定容器(11)の厚さを表す(土に含まれている放射性セシウム量で決定する)表グラフである。
【表１】
2013137288.tif 000003
【００１７】
図１は本発明を実施した時の石粉所定固定容器(11)を製造するフローチャートである。
【００１８】
水容器(１)に所定量水(４)を入れこれに所定量の多機能固化薬剤(５)を加え混合液(９)を作る。
【００１９】
放射性セシウム含む土を金属片草木10ｍｍ以上の石を取除く機械(13)より金属片草木10ｍｍ以上の石を取除いた土放射性セシウム含む土(18)を混練機械(14)へ投入し土の固まりが無い様に混練しこれに所定量のセメント(19)水(20)を加え再度良く混練した所に水に多機能固化薬剤(21)を所定量投入し良く混練し放射性セシウム含む土生成材料(22)を作り加圧成形機械(15)にて放射性セシウム含む土ブロック(23)を製造し養生する。放射性セシウム含む土(18)を放射性セシウム含む土ブロック(23)化を作るのは石粉所定固定容器(11)内へ入れ石粉養生材料(10)固定蓋をした時安定性が良く作業性が良い。石粉所定固定容器(11)と放射性セシウム含む土ブロック(23)と一体化ブロック(24)製造後の養生が速くなる。この時作業員、作業所等に対し放射性セシウムの安全対策をする。尚、放射性性セシウム含む土生成材料(22)を作る方法であるが放射性セシウム含む土より金属片草木10ｍｍ以上の石を取除く機械(13)より金属片草木10ｍｍ以上の石を取除いた土放射性セシウム含む土(18)を生コンクリート工場でも製造する事が可能である。
【００２０】
石粉所定固定容器(11)内へ放射性セシウム含む土ブロック(23)を入れ石粉生成材料(10)で放射性セシウム含む土ブロック(23)との間に良く入れ石粉所定固定容器(11)で固定蓋をして放射性セシウム含む土ブロック(23)を密封遮蔽して石粉所定固定容器(11)と放射性セシウム含む土ブロック(23)を一体化ブロック(24)を作り養生する。又石粉所定固定容器(11)内へ放射性セシウム含む土生成(22)を直接入れて石粉生成材料(10)で蓋をし密封遮蔽する事も可能で有りこの時放射性セシウム含む土生成(22)が一体化ブロック(24)の養成時に放射性セシウム含む土生成(22)より水分と放射性セシウムが石粉所定固定容器(11)へ浸透しても石粉所定固定容器(11)より放射性セシウムが出ない安全性を確保した石粉所定固定容器(11)を製造し一体化ブロック(24)を製造する又この時養生時間が放射性セシウム含む土ブロック(23)と石粉所定固定容器(11)一体化ブロック(24)よりも養生時間が長くなる。
【００２１】
石粉所定固定容器(11)を加圧成形機械(３)を使用せず枠型成形方法で石粉所定固定容器(11)を作ることも出来る。又石粉所定固定容器(11)を板盤状態を作り組み立て方式で石粉所定固定容器(11)を作る事も出来る。
【００２２】
図４は発明の石粉生成材料(10)を製造する時に石粉生成材料(10)内に含む空気を真空機械(27)で空気を取除き側面(29)、底面、」蓋(31)の各パーツ体積所定量の大きさに切断し、加圧成型機(3,15)で側面(29)、底面、蓋(31)の各パーツを製造する。図５に示す様に側面(29)を組立てるこの時側面(29)の接地面に石粉生成材料(10)を入れ、ネジ(32)で側面を固定する。図６に示す様に、固定された側面(29)に対し底面(31)を側面(29)との接地面に石粉生成材料(10)を入れネジ(32)で固定し、放射性セシウム含む土ブロックを投入し蓋(31)を側面(29)との接地面に石粉生成材料(10)を入れネジ(32)で固定し放射性セシウム含む土ブロックと石粉所定固定容器との一体化ブロックを製造する。又石粉生成材料(10)に対し接地面強化対策としての材料を加えることも可能である。
【００２３】
図８、図９に示す様に放射性セシウム含む土ブロックと石粉所定固定容器との一体化ブロックに角一辺の部分にアングル(33)で囲い固定しアングル(33)とアングル(33)の間に平板(34)又は金網(35)を入れ固定し外圧による、欠け、ひび割れ等を防ぐ強化を図る事により移動、運搬等に良い。又側面(29)、底面、蓋(31)の各パーツの間に、平板、金網等を入れ側面(29)、底面、蓋(31)の内部強化を図る事も出来る。
【００２４】
放射性セシウム含む土(18)だけでなく放射性セシウム含む水道汚泥土も放射性セシウム含む土(18)と同様に使用する事が出来る。
【００２５】
放射性セシウム含む土より金属片草木10ｍｍ以上の石を取除く機械(13)より金属片草木10ｍｍ以上の石を取除いた金属片10ｍｍ以上の石を除染後使用し草木は焼却炉で処分し焼却炉より出る焼却灰、排気ガス等を水を利用した吸収機械に送り除染し洗浄ガスは外へ出し焼却灰は水分を所定量取り放射性セシウム含む土(18)に投入混合し処分する(放射性セシウム含む土のセシウム量に注意する事)。
又金属片10ｍｍ以上の石を除染した水は放射性セシウム量にもよるが放射性セシウムを含む土生成(22)を作る時に使用する事が出来る。
【００２６】
石粉所定固定容器(11)と放射性セシウム含む土ブロック(23)の一体化ブロック(24)の廃棄保管場所が水分のある所は一体化ブロック(24)の表面にウレタン等の又は同種の物で水分の通さないもので一体化ブロック(24)に皮膜し一体化ブロック(26)の表面強化を図り安全性を上げる事も出来る。
【図面の簡単な説明】
【００２７】
【図１】本発明の実施例に係る石粉容器製造設備を示すフローチャートである。
【図２】本発明の実施例に係る放射性セシウム等含む土ブロック製造設備を示すフローチャートである。
【図３】本発明の実施例に係る石粉容器と放射性セシウム含む土ブロックの一体化ブロック断面図を示す。
【図４】石粉生成材料(10)内に含まれた空気を取除き加圧成形機械(3,15)側面(29)、底面、蓋(31)の各パーツの製造するフローシートである。
【図５】石粉所定固定容器側面の断面を示す図である。
【図６】石粉所定固定容器の底面、蓋の断面を示す図である。
【図７】石粉所定固定容器の側面をつなぎ合わせた断面を示す図である。
【図８】放射性セシウム含む土ブロックと石粉所定固定容器の一体化ブロックの外側にアングル(33)と平板(34)で外側の強化を示す図である。
【図９】放射性セシウム含む土ブロックと石粉所定固定容器の一体化ブロックの外側にアングル(33)と金網(35)で外側の強化を示す図である。
【符号の説明】
【００２８】
Y     土に含む放射性セシウム量
X     石粉容器厚さ
A     放射性セシウム含む土
B     土に含む放射性セシウム量
C     土に含む放射性セシウム量を密閉、遮断出来る石粉所定固定容器厚さ
D     土に含む放射性セシウム量と石粉所定固定容器厚さの交差点
1,12      水容器
2,14      混練機械
3,15      加圧式成形機械
4,8,16,20    水
5,17      多機能固化薬剤
6         石粉(無機性)
7,19      セメント
9,21      水と多機能固化薬剤の混合物
10        石粉生成材料
11        石粉所定固定容器
13        金属片、草木、10ｍｍ以上の石等を取除く機械
18        金属片、草木、10ｍｍ以上の石等を取除いた放射性セシ射性セシウム含シウム含シウム含シウム含む土ブロック
22        放射性セシウム含む土生成
23        放射性セシウム含む土ブロック
24      石粉所定固定容器(11)と放射性セシウム含む土ブロック(23)と一体化したブロック
25      水分を遮断する為の外部皮膜材料
26      一体化ブロック(24)外部に水分を遮断する材料で皮膜した一体化ブロック
27      真空機械
29      側面
30      側面
31      底面、蓋
32      ネジ
33      アングル
34         平板
35         金網
【図１】
2013137288.tif 000004
【図２】
2013137288.tif 000005
【図３】
2013137288.tif 000006
【図４】
2013137288.tif 000007
【図５】
2013137288.tif 000008
【図６】
2013137288.tif 000009
【図７】
2013137288.tif 000010
【図８】
2013137288.tif 000011
【図９】
2013137288.tif 000012